(57)【特許請求の範囲】
【請求項１】
バルコニーの手摺壁の上端面に取り付けられる笠木本体と、
この笠木本体に一体的に形成され、かつ、前記笠木本体の上面部から上方に突出するとともに、前記笠木本体の下面側に開口する筒状の突出部とを有する笠木を用いて前記バルコニーの手摺壁に柱を取り付ける柱の取付方法であって、
前記手摺壁の上端面に結合部材が上方に突出して設けられており、
まず、前記手摺壁の上端面に前記笠木を、前記突出部に前記結合部材が前記笠木本体の下面側から挿通され、前記突出部より上方に突出させるようにして設け、
次に、前記突出部より上方に突出している前記結合部材に前記柱の下端部を結合し、
次に、前記柱に当該柱の周囲を覆う柱カバーを、この柱カバーの下端部によって前記突出部およびこの突出部から突出している前記結合部材の周囲を覆うようにして設けることを特徴とする柱の取付方法。
【請求項２】
バルコニーの手摺壁の上端面に取り付けられる笠木本体と、
この笠木本体に一体的に形成され、かつ、前記笠木本体の上面部から上方に突出するとともに、前記笠木本体の下面側に開口する筒状の突出部とを有する笠木を用いて前記バルコニーの手摺壁に柱を取り付けた柱の取付構造であって、
前記手摺壁の上端面に結合部材が上方に突出して設けられ、
前記手摺壁の上端面に前記笠木が設けられ、この笠木の前記突出部に前記結合部材が前記笠木本体の下面側から挿通されて、前記突出部より上方に突出しており、
前記突出部より上方に突出している前記結合部材に前記柱の下端部が結合されており、
この柱に当該柱の周囲を覆う柱カバーが設けられ、この柱カバーの下端部によって前記突出部およびこの突出部から突出している前記結合部材の周囲が覆われていることを特徴とする柱の取付構造。  
【請求項３】
請求項２に記載の柱の取付構造において、
前記柱は四角筒状に形成され、この柱の下端部の一の側壁が取付用側壁とされ、
前記柱の下端部に前記取付用側壁を残して、少なくとも前記取付用側壁に対向する側壁を切り欠いてなる切欠部が形成され、
前記取付用側壁に前記結合部材がボルトナットによって結合されていることを特徴とする柱の取付構造。
【請求項４】
請求項３に記載の柱の取付構造において、
前記切欠部は、前記柱の下端部を、前記取付用側壁を残して、この取付用側壁の下端から前記柱の軸方向と傾斜して斜めに切り欠くことによって形成されていることを特徴とする柱の取付構造。
【発明の詳細な説明】
【技術分野】
【０００１】
本発明は、バルコニーの手摺壁の上端面に取り付けられる笠木を用いてバルコニーの手摺壁に柱を取り付ける取付方法および取付構造に関する。
【背景技術】
【０００２】
住宅のバルコニーの手摺壁に、バルコニーの屋根を支持する柱を設ける場合の一例として特許文献１に記載の柱の取付構造が知られている。
この柱の取付構造では、バルコニー本体がバルコニ−床とバルコニー床の側縁部に立設された手摺り壁とからなり、該手摺り壁の内部にバルコニー本体を吊り上げるための吊り金具が設けられ、柱を立てた状態で、手摺壁の上端面と前記柱の下端部とが上記吊り金具で連結され、柱の上端部と前記屋根パネルとが連結されているものである。
【先行技術文献】
【特許文献】
【０００３】
【特許文献１】特開平１１−１５８９９１号公報
【発明の概要】
【発明が解決しようとする課題】
【０００４】
ところで、バルコニーの手摺壁は、例えば矩形状の枠体の両面に外装材としての面材を取り付けたものであったり、手摺壁の側面に化粧板材を設けたりする場合があるので、手摺壁内や手摺壁と化粧板材との間に雨水等の水が侵入するのを防止するために、手摺壁の上端面に笠木を被せるようにして取り付ける場合がる。
しかし、手摺壁の上端面に柱を取り付ける場合、笠木にこの柱の下端部を挿通するための孔を形成する必要がある。したがって、この孔と柱との間の隙間からの雨水等の水の侵入を防止するために、当該隙間に現場でシーリング材を施したり、また、隙間にシーリング材を施すことなく、施工現場にて、柱の下端部と手摺壁の上端面との接合部を覆うようにして水切りを取り付けるとともに、水切りどうしの継ぎ目や柱と水切の継ぎ目等にシーリング材を施す必要があるため、これらの作業に非常に手間がかかっていた。
【０００５】
本発明は上記事情に鑑みてなされたもので、現場でのシーリング材の施工の手間を省略することができるとともに、手摺壁内への雨水等の水の侵入を防止できる笠木を用いた柱の取付方法および取付構造を提供することを課題としている。
【課題を解決するための手段】
【０００６】
上記課題を解決するために、請求項１に記載の発明は、例えば図１および図２、図４に示すように、バルコニーの手摺壁２の上端面に取り付けられる笠木本体３と、
この笠木本体３に一体的に形成され、かつ、前記笠木本体３の上面部３ａから上方に突出するとともに、前記笠木本体３の下面側に開口する筒状の突出部４とを有する笠木１を用いて前記バルコニーの手摺壁２に柱１０を取り付ける柱の取付方法であって、
前記手摺壁２の上端面に結合部材１１が上方に突出して設けられており、
まず、前記手摺壁２の上端面に前記笠木１を、前記突出部４に前記結合部材１１が前記笠木本体３の下面側から挿通され、前記突出部４より上方に突出させるようにして設け、
次に、前記突出部４より上方に突出している前記結合部材１１に前記柱１０の下端部を結合し、
次に、前記柱１０に当該柱１０の周囲を覆う柱カバー１６を、この柱カバー１６の下端部によって前記突出部４およびこの突出部４から突出している前記結合部材１１の周囲を覆うようにして設けることを特徴とする。
【０００７】
請求項１に記載の発明によれば、図３および図４に示すように、手摺壁２の上端面に予め結合部材１１を上方に突出して設けておき、まず、前記手摺壁２の上端面に笠木１を、その突出部４に前記結合部材１１が前記笠木本体３の下面側から挿通され、前記突出部４より上方に突出させるようにして設け、次に、前記突出部４より上方に突出している前記結合部材１１に前記柱１０の下端部を結合し、次に、前記柱１０に当該柱１０の周囲を覆う柱カバー１６を、この柱カバー１６の下端部によって前記突出部４およびこの突出部４から突出している前記結合部材１１の周囲を覆うようにして設ける。
このようにすれば、笠木本体３に一体的に形成されている突出部４の下端からの水の侵入はなく、かつ、突出部４は笠木本体３から上方に突出しており、柱カバー１６によって柱１０、突出部４およびこの突出部４から突出している結合部材１１の周囲が覆われるので、突出部４の上端開口からの水の侵入を防止できる。したがって、現場でのシーリング材の施工の手間を省略することができるとともに、手摺壁２内への雨水等の水の侵入を防止できる。
【０００９】
請求項２に記載の発明は、例えば図１、図２、図３に示すように、バルコニーの手摺壁２の上端面に取り付けられる笠木本体３と、
この笠木本体３に一体的に形成され、かつ、前記笠木本体３の上面部３ａから上方に突出するとともに、前記笠木本体３の下面側に開口する筒状の突出部４とを有する笠木１を用いて前記バルコニーの手摺壁２に柱１０を取り付けた柱の取付構造であって、
前記手摺壁２の上端面に結合部材１１が上方に突出して設けられ、
前記手摺壁２の上端面に前記笠木１が設けられ、この笠木１の前記突出部４に前記結合部材１１が前記笠木本体３の下面側から挿通されて、前記突出部４より上方に突出しており、
前記突出部４より上方に突出している前記結合部材１１に前記柱１０の下端部が結合されており、
この柱１０に当該柱１０の周囲を覆う柱カバー１６が設けられ、この柱カバー１６の下端部によって前記突出部４およびこの突出部４から突出している前記結合部材１１の周囲が覆われていることを特徴とする。
【００１０】
請求項２に記載の発明によれば、笠木本体３に一体的に形成されている突出部４の下端からの水の侵入はなく、かつ、突出部４は笠木本体３から上方に突出しており、柱カバー１６によって柱１０、突出部４およびこの突出部４から突出している結合部材１１の周囲が覆われるので、突出部４の上端開口からの水の侵入を防止できる。したがって、現場でのシーリング材の施工の手間を省略することができるとともに、手摺壁２内への雨水等の水の侵入を防止できる。
【００１１】
請求項３に記載の発明は、例えば図６に示すように、請求項２に記載の柱の取付構造において、
前記柱１０は四角筒状に形成され、この柱１０の下端部の一の側壁１０ａが取付用側壁１０ａとされ、
前記柱１０の下端部に前記取付用側壁１０ａを残して、少なくとも前記取付用側壁１０ａに対向する側壁を切り欠いてなる切欠部１０ｃが形成され、
前記取付用側壁１０ａに前記結合部材１１がボルトナットによって結合されていることを特徴とする。
【００１２】
請求項３に記載の発明によれば、柱１０の下端部に、少なくとも取付用側壁１０ａに対向する側壁を切り欠いてなる切欠部１０ｃが形成されているので、この切欠部１０ｃでボルトナットの締付作業を容易に行って、取付用側壁１０ａに結合部材１１を容易かつ確実に結合できる。
【００１３】
請求項４に記載の発明は、請求項３に記載の柱の取付構造において、
前記切欠部１０ｃは、前記柱１０の下端部を、前記取付用側壁１０ａを残して、この取付用側壁の下端から前記柱１０の軸方向と傾斜して斜めに切り欠くことによって形成されていることを特徴とする。
【００１４】
請求項４に記載の発明によれば、柱１０の下端部に切欠部１０ｃを形成することによって、取付用側壁１０ａの両側に、三角形状の側壁１０ｂ,１０ｂが対向して形成されるので、この三角形状の側壁１０ｂ,１０ｂによって取付用側壁１０ａを補強できる。
【発明の効果】
【００１５】
本発明によれば、笠木本体に一体的に形成されている突出部の下端からの水の侵入はなく、かつ、突出部は笠木本体から上方に突出しており、柱カバーによって柱、突出部およびこの突出部から突出している結合部材の周囲が覆われるので、突出部の上端開口からの水の侵入を防止できる。したがって、現場でのシーリング材の施工の手間を省略することができるとともに、手摺壁内への雨水等の水の侵入を防止できる。
【図面の簡単な説明】
【００１６】
【図１】本発明に係る笠木を示すもので、その要部を示す斜視図である。
【図２】同、横断面図である。
【図３】本発明に係る柱の取付構造を示す側断面図である。
【図４】本発明に係る柱の取付方法を示すもので、その工程図である。
【図５】同、笠木を手摺壁に取り付けた状態を示す斜視図である。
【図６】同、結合部材に柱の下端部を結合した状態を示す斜視図である。
【図７】同、柱に柱カバーを取り付けた状態を示す斜視図である。
【図８】同、柱に柱カバーを取り付けた状態を示す柱の上端部の側面図である。
【図９】同、柱カバーを取り付けた状態を示す柱の下端部の断面図である。
【図１０】同、柱カバーを取り付けた状態を示す柱の上下方向中央部の断面図である。
【発明を実施するための形態】
【００１７】
以下、図面を参照して、本発明の実施の形態について説明する。
図１および図２は本発明に係る笠木の一例を示すものであり、図１は笠木１の要部である端部を示す斜視図、図２は笠木１の横断面図である。
図１および図２に示すよう、笠木１は、図１に二点鎖線で示す手摺壁２の上端面に取り付けられる笠木本体３と、この笠木本体３の端部の上面部３ａから上方に突出する突出部４とを備えている。
なお、本発明に係る笠木１は、後述のように柱を結合するために、突出部４を備えたものであり、例えば手摺壁２の端部に設置されるものである。手摺壁２の端部以外の部分で柱を結合する必要がない場合、突出部４が無く断面形状が前記笠木本体３と等しい笠木を設け、この笠木と本発明に係る前記笠木１とを接続する。
【００１８】
前記笠木本体３は、例えばアルミニウム等の金属の押出成形品であり、バルコニーの周囲を囲むようにして形成される前記手摺壁２の端部の上端面に設置されるものである。笠木本体３は手摺壁２の延在方向に沿って長尺なものであり、その端部には笠木本体３の端部開口を塞ぐキャップ部材５が取り付けられている。
また、笠木本体３は、その上面部３ａが水平方向に対して若干傾斜している。この上面部３ａの両側に傾斜部３ｂ,３ｂが形成され、この傾斜部３ｂ,３ｂの端部に側面部３ｃ,３ｃがほぼ鉛直に形成されている。なお、上面部３ａが傾斜しているので、一方の側面部３ｃの方が他方の側面部３ｃより上下方向の長さが長くなっている。また、側面部３ｃ,３ｃの下端部内面には、内側に向けて突出して手摺壁２の表面に当接する当接部３ｄ,３ｄが形成されている。
【００１９】
突出部４は四角筒状に形成されており、笠木本体３と一体的に形成されている。突出部４の下端面と笠木本体３の上面部３ａの下面とはほぼ面一に形成されており、これによって、突出部４の下端開口は笠木本体３の下面側に開口している。また、突出部４の内面には、四角筒状でかつ突出部４の長さとほぼ等しい長さを有する内側突出部４ａが形成されている。
【００２０】
次に上記構成の笠木１を使用して、バルコニーの手摺壁２に柱１０を取り付けてなる柱の取付構造の一例について説明する。
図３は柱の取付構造を示す側断面図であり、図３において符号２は手摺壁を示す。
この手摺壁２は、鉄骨フレームで形成された手摺壁本体２ａと、この手摺壁本体２ａのバルコニーの外側を向く側面に取り付けられた外装材２ｂと、内側を向く側面に取り付けられた外装材２ｃとを備えており、外装材２ｂは外装材２ｃより厚く形成されている。
【００２１】
手摺壁本体２ａの上端面には結合部材１１が上方に突出して設けられている。すなわち、結合部材１１は帯板状の鉄板で形成されたものであり、その下端部には矩形板状の固定板１２が溶接等によって結合部材１１と直角に固定されている。この固定板１２は手摺壁本体２ａの上端面に設置されたうえで、ボルト１３によって固定されている。また、結合部材１１の上端部には結合用孔１１ａ,１１ａが上下に離間して形成されている。
【００２２】
前記手摺壁２の上端面には前記笠木１が当該手摺壁２の上端部に被さるようにして設けられている。この笠木１の突出部４には、結合部材１１が笠木本体３の下面側から挿通されており、当該結合部材１１の上端部が突出部４より上方に突出している。
また、笠木１は外装材２ｂ,２ｃを含む手摺壁２の上端部に被せるようにして設けられており、笠木１の当接部３ｄ,３ｄはそれぞれ前記外装材２ｂ,２ｃに当接されている。
【００２３】
前記突出部４より上方に突出している結合部材１１の上端部に柱１０の下端部が以下のようにして結合されている。
すなわちまず、図６に示すように、柱１０は四角筒状に形成されており、この柱１０の下端部の一の側壁１０ａが取付用側壁１０ａとされている。そして、この柱１０の下端部に、取付用側壁１０ａを残して、取付用側壁１０ａに対向する側壁と、取付用側壁１０ａに直角に形成された互いに対向する側壁の一部を斜めに切り欠いてなる切欠部１０ｃが形成されている。この切欠部１０ｃは、柱１０の下端部を、取付用側壁１０ａを残して、この取付用側壁１０ａの下端から柱１０の軸方向と傾斜して斜めに切り欠くことによって形成されている。このようにして柱１０の下端部に切欠部１０ｃを形成することによって、取付用側壁１０ａの両側に当該取付用側壁１０ａと直角に形成された三角形状の側壁１０ｂ,１０ｂが形成されている。
前記取付用側壁１０ａには上下一対の孔が前記結合用孔１１ａ,１１と同ピッチで形成されている。
そして、結合部材１１に取付用側壁１０ａが当接されるとともに、当該取付用側壁１０ａの上下一対の孔と、結合部材１１の上下一対の結合用孔１１ａ,１１とを合致させたうえで、これらにボルト１５,１５を挿通し、取付用側壁１０ａの裏面側からナットを切欠部１０ｃから挿入して、当該ナットをボルト１５,１５に螺合して、ボルト１５,１５を締め付けることによって、結合部材１１に柱１０の下端部、すなわち取付用側壁１０ａが固定されている。
【００２４】
また、図３および図７に示すように、前記柱１０には、柱１０の周囲を覆う柱カバー１６が設けられ、この柱カバー１６の下端部によって突出部４およびこの突出部４から突出している結合部材１１の周囲が覆われている。
【００２５】
次に、上記のような柱の取付構造を施工する方法、つまりバルコニーの手摺壁２に柱１０を取り付ける柱の取付方法について説明する。
まず、図４（ａ）に示すように、手摺壁２の上端面に結合部材１１を上方に突出して設ける。この結合部材１１の設置は、結合部材１１の下端部に固定されている固定板１２を手摺壁本体２ａの上端面にボルト１３によって固定することによって行う。結合部材１１の設置固定は、現場で行ってもよいし、工場で手摺壁本体２ａを予め形成する場合、工場で当該手摺壁本体２ａの上端面に結合部材１１を取り付けておいてもよい。
【００２６】
次に、前記結合部材１１の上方から笠木１を手摺壁２の上端部に被せる。この場合、図４ｂおよび図５に示すように、手摺壁２の手摺壁本体２ａの上端面に笠木１を、その突出部４に結合部材１１が笠木本体３の下面側から挿通され、突出部４より上方に突出させるようにして設ける。また、結合部材１１は突出部４の内部を挿通した状態において、突出部４の内面に形成された内側突出部４ａに当接させる。
また、笠木１の両側の当接部３ｄ,３ｄを手摺壁２の外装材２ｂ,２ｃに当接する。このようにして、手摺壁２の上端部に笠木１を上方から被せる。
【００２７】
次に、図４（ｃ）および図６に示すように、突出部４より上方に突出している結合部材１１の上端部に柱１０の下端部を結合する。この場合、結合部材１１に、柱１０の下端部の取付用側壁１０ａを当接するとともに、当該取付用側壁１０ａの上下一対の孔と、結合部材１１の上下一対の結合用孔１１ａ,１１とを合致させたうえで、これらにボルト１５,１５を挿通し、取付用側壁１０ａの裏面側からナットを前記切欠部１０ｃから挿入して、当該ナットをボルト１５,１５に螺合して、ボルト１５,１５を締め付けることによって、結合部材１１に柱１０の下端部、すなわち取付用側壁１０ａを固定する。
また、柱１０の上端部は図７および図８に示すように、バルコニーの庇１８の内部フレーム１８ａに結合する。
【００２８】
最後に、図４（ｄ）および図９、図１０に示すように、柱１０に当該柱１０の周囲を覆う柱カバー１６を、この柱カバー１６の下端部によって、突出部４およびこの突出部４から突出している結合部材１１の周囲を覆うようにして設ける。
柱１０の４つの側面には、図１０に示すように、それぞれ下地材２０が取り付けられている。４つの下地材２０・・・のうち、柱１０を挟んで対向する二つの下地材２０,２０がビス２１,２１によって柱１０の側面に固定され、他の二つの下地材２０はビス２１によって固定された下地材２０,２０に固定されている。
また、ビス２１によって固定された下地材２０の外側には係止金具２２が配置され、前記ビス２１によって柱１０に固定されている。この係止金具２２は一方の端部に溝状の係止部２２ａが形成されている。
【００２９】
そして、このような下地材２０および係止金具２２が取り付けられた柱１０の周囲に、まず先カバー２３を取り付ける。先カバー２３は断面視において略コ字形に形成されており、その両端部に形成された係止片を前記係止金具２２,２２の端部の係止部２２ａ,２２ａに差し込むことによって、柱１０の断面の略半分を覆う。
次に、柱１０の断面の残りの略半分側に後カバー２４を取り付ける。後カバー２４は断面視において略コ字形に形成されており、その両端部を前記係止金具２２の表面に当接するとともに、両端部に形成された係止片を前記係止金具２２,２２の端部の係止部２２ａ,２２ａに前記先カバー２３の係止片より下側から差し込んだうえで、ビス２５を後カバー２４の両端部から下地材２０を貫通して柱１０にねじ込むことによって、当該柱１０に取り付け固定する。
このようにして、柱１０に柱１０の周囲を覆う柱カバー１６を取り付ける。なお、この柱カバー１６は前記先カバー２３と後カバー２４とによって構成されている。
【００３０】
本実施の形態によれば、バルコニーの手摺壁２の上端面に取り付けられる笠木１を、手摺壁２の上端面に取り付けられる笠木本体３と、この笠木本体３に一体的に形成され、かつ、笠木本体３の上面部３ａから上方に突出するとともに、笠木本体３の下面側に開口する筒状の突出部４とによって構成したので、手摺壁２の上端面に予め結合部材１１を上方に突出して設けておき、まず、手摺壁２の上端面に笠木１を、その突出部４に結合部材１１が笠木本体３の下面側から挿通され、突出部４より上方に突出させるようにして設け、次に、突出部４より上方に突出している結合部材１１に柱１０の下端部を結合し、次に、柱１０に当該柱１０の周囲を覆う柱カバー１６を、この柱カバー１６の下端部によって突出部４およびこの突出部４から突出している結合部材１１の周囲を覆うようにして設けことができる。
したがって、笠木本体３に一体的に形成されている突出部４の下端からの水の侵入はなく、かつ、突出部４は笠木本体３から上方に突出しており、柱カバー１６によって柱１０、突出部４およびこの突出部４から突出している結合部材１１の周囲が覆われるので、突出部４の上端開口からの水の侵入を防止できる。したがって、現場でのシーリング材の施工の手間を省略することができるとともに、手摺壁２内への雨水等の水の侵入を防止できる。
【００３１】
また、柱１０の下端部に、取付用側壁１０ａに対向する側壁と取付用側壁１０ａに直交する側壁１０ｂ,１０ｂの一部斜めを切り欠いてなる切欠部１０ｃが形成されているので、この切欠部１０ｃでボルトナットの締付作業を容易に行って、取付用側壁１０ａに結合部材１１を容易かつ確実に結合できる。
さらに、柱の下端部に切欠部１０ｃを形成することによって、取付用側壁１０ａの両側に、三角形状の側壁１０ｂ,１０ｂが対向して形成されるので、この三角形状の側壁１０ｂ,１０ｂによって取付用側壁１０ａを補強できる。
【００３２】
なお、本実施の形態では、本発明に係る柱の取付構造および方法を、バルコニーの庇を支持する柱に適用した場合を例にとって説明したが、これに限ることなく、バルコニーの手摺壁に設置する柱であればどのような柱にも適用できる。
【符号の説明】
【００３３】
１  笠木
２  手摺壁
３  笠木本体
４  突出部
１０  柱
１０ａ  取付用側壁
１１  結合部材
１６  柱カバー
１５  ボルト
【図１】
0005726783.tif 000002
【図２】
0005726783.tif 000003
【図３】
0005726783.tif 000004
【図４】
0005726783.tif 000005
【図５】
0005726783.tif 000006
【図６】
0005726783.tif 000007
【図７】
0005726783.tif 000008
【図８】
0005726783.tif 000009
【図９】
0005726783.tif 000010
【図１０】
0005726783.tif 000011